(57)【特許請求の範囲】
【請求項１】
開口部となる部位の地面、開口部が形成された床面あるいは天井面のいずれかに、上部あるいは下部が開口するように取付けられたハット形鋼あるいはチャンネル状のレールと、このレールに案内されて移動する目地プレートとからなる目地装置において、前記目地プレートが通常時位置していない部位の前記レール部位の上部位置あるいは下部位置に取付けられた、該目地プレートが移動してくると両側部方向へ押し圧されて開口する、常時閉鎖方向に付勢する付勢機構を備えた一対の開閉扉本体を有する開閉扉と、この開閉扉と対応する部位の前記目地プレートに設けられた、前記一対の開閉扉本体間に侵入して開放する山形形状の突起とを備えたことを特徴とする目地装置。
【請求項２】
開閉扉はレールの上部あるいは下部に目地プレートの厚さ寸法よりも大きな隙間が生じ、かつ開口部が対向するように固定されたコ字状の一対の外側ケースと、この一対の外側ケース内にスライド移動可能に取付けられ、かつ目地プレート側の端部に突起が侵入する凹部を有する一対の開閉扉本体と、前記一対の外側ケース内に取付けられた前記一対の開閉扉本体を常時当接して閉鎖方向に付勢するスプリングを用いた付勢機構とで構成されていることを特徴とする請求項１記載の目地装置。
【発明の詳細な説明】
【技術分野】
【０００１】
本発明は建物間を接続する部分の壁面間の開口部を覆ったり、開口部となる地面にレールを備えた門扉等として使用される目地装置に関する。
【背景技術】
【０００２】
従来、レールを使用して開閉扉や目地プレートを移動させる目地装置は、開閉扉や目地プレートが常時位置していない部位のレールは開放状態となっているため、ゴミ等が溜まり、開閉扉や目地プレートの動作不良となったり、美観を損なったり、不衛生になるという欠点があった。
【先行技術文献】
【特許文献】
【０００３】
【特許文献１】特許第４７２９５１０号公報
【発明の概要】
【発明が解決しようとする課題】
【０００４】
本発明は以上のような従来の欠点に鑑み、レールに案内されて移動する開口部を覆う門扉や、目地プレートが常時位置していないレール部位の上部を覆って、ゴミ等が溜まるのを効率よく阻止して、動作不良が生じるのを阻止し、美観の向上および不衛生になるのを効率よく阻止することができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は開口部となる部位の地面、開口部が形成された床面あるいは天井面のいずれかに、上部あるいは下部が開口するように取付けられたハット形鋼あるいはチャンネル状のレールと、このレールに案内されて移動する目地プレートとからなる目地装置において、前記目地プレートが通常時位置していない部位の前記レール部位の上部位置あるいは下部位置に取付けられた、該目地プレートが移動してくると両側部方向へ押し圧されて開口する、常時閉鎖方向に付勢する付勢機構を備えた一対の開閉扉本体を有する開閉扉と、この開閉扉と対応する部位の前記目地プレートに設けられた、前記一対の開閉扉本体間に侵入して開放する山形形状の突起とを備えて目地装置を構成している。
【発明の効果】
【０００７】
以上の説明から明らかなように、本発明にあっては次に列挙する効果が得られる。
（１）請求項１により、目地プレートが位置していない部位のレールを常時閉鎖方向に付勢する付勢機構を備えた一対の開閉扉で、閉じた状態にすることができる。
したがって、一対の開閉扉で閉じられたレール内にゴミが侵入するのを確実に阻止でき、美観の向上と、不衛生になるのを防止することができる。
（２）前記（１）により、目地プレートが移動する場合には、目地プレートの端部に設けた山形形状の突起で一対の開閉扉を開放して移動するため、比較的スムーズに移動できるとともに、一対の開閉扉で目地プレートを押し圧するように作用するため、目地プレートの移動方向と直角方向に揺れ動くのを効率よく阻止することができる。
（３）前記（１）により、ハット形鋼形状あるいはチャンネル状のレールに付勢機構を備える一対の開閉扉と、目地プレートに山形形状の突起を設けるだけでよいので、比較的簡単に設置することができるとともに、既存のレールにも簡単に設置することができる。
（４）請求項２も前記（１）〜（３）と同様な効果が得られるとともに、確実にレールの上部を常時閉鎖した状態にすることができる。
【図面の簡単な説明】
【０００８】
【図１】本発明を実施するための第１の形態の平面図。
【図２】図１の２−２線に沿う断面図。
【図３】本発明を実施するための第１の形態の要部拡大正面図。
【図４】本発明を実施するための第１の形態の要部拡大平面図。
【図５】図４の５−５線に沿う断面図。
【図６】本発明を実施するための第１の形態の地震で異なる左右方向に揺れ動いた動作説明図。
【図７】本発明を実施するための第１の形態の地震で異なる前後方向に揺れ動いた動作説明図。
【図８】本発明を実施するための第２の形態の平面図。
【図９】図８の９−９線に沿う断面図。
【図１０】本発明を実施するための第２の形態の要部拡大説明図。
【図１１】本発明を実施するための第３の形態の平面図。
【図１２】図１１の１２−１２線に沿う断面図。
【図１３】本発明を実施するための第３の形態の要部拡大説明図。
【図１４】本発明を実施するための第４の形態の平面図。
【図１５】図１４の１５−１５線に沿う断面図。
【図１６】本発明を実施するための第４の形態の要部拡大説明図。
【発明を実施するための形態】
【０００９】
以下、図面に示す本発明を実施するための形態により、本発明を詳細に説明する。
【００１０】
図１ないし図７に示す本発明を実施するための第１の形態において、１は本発明の目地装置で、この目地装置１は一方の建物２の外側通路３の外壁面４に下部が床面３ａとほぼ同一面となるように形成された開口部５と、この開口部５の下面より上部が下方に位置するように、前記外壁面４に該開口部５の左右方向に突出するように固定されたハット形鋼形状のレール６と、このレール６の内底面に複数個のローラ７を介して移動可能に取付けられたスライドレール８と、このスライドレール８の前記開口部５位置に後端部が固定され、先端部が前記一方の建物２と目地部９を介して設けられた、他方の建物１０より突出した渡り通路１１の床面１１ａにスライド移動可能に支持された、該開口部５の幅寸法と同じ幅寸法の床目地プレート１２と、この床目地プレート１２の両端部の前記スライドレール８に固定された一対の外壁用目地プレート１３、１３と、この一対の外壁用目地プレート１３、１３の前記床目地プレート１２側の端部に一体形成された、前記渡り通路１１の両側壁１１ｂ、１１ｂに対してスライド移動できる渡り通路側目地プレート１４、１４と、前記外壁用目地プレート１３、１３より外方へ突出する前記レール６部位の上部位置にそれぞれ取付けられた、該外壁用目地プレート１３、１３が移動してくると両側部方向に押し圧されて開口する、常時閉鎖方向に付勢する付勢機構２５、２５を備えた一対の開閉扉１６、１６と、この一対の開閉扉１６、１６と対応する部位の前記外壁用目地プレート１３、１３に設けられた、該一対の開閉扉１６、１６間に侵入して開放する山形形状の突起１７とで構成されている。  
【００１１】
前記一対の開閉扉１６、１６は、前記レール６の上部に前記外壁用目地プレート１３の厚さ寸法Ｈよりも大きな隙間１８が生じ、かつ開口部１９、１９が対向するように固定されたコ字状で、両端部が閉塞板２０、２０で閉塞された一対の外側ケース２１、２１と、この一対の外側ケース２１、２１内にスライド移動可能に取付けられ、かつ外壁用目地プレート１３、１３側の端部に前記突起１７、１７が侵入する凹部２２、２２を有する一対の開閉扉本体２３、２３と、前記一対の外側ケース２１、２１内に一端部が固定的に取付けられ、他端部が前記一対の開閉扉本体２３、２３内に固定的に取付けられた、該一対の開閉扉本体２３、２３を常時当接して、前記レール６の開口部５を閉鎖方向に付勢する複数個のスプリング２４、２４を用いた付勢機構２５、２５と、前記一対の開閉扉本体２３、２３をほぼ中央部で当接するように該部位で停止させる、必要に応じて設置されるストッパー紐２６、２６、２６、２６とで構成されている。
【００１２】
上記構成の目地装置１は外壁用目地プレート１３、１３より突出しているレール６部位は一対の開閉扉本体２３、２３によって、開口部１９、１９が覆われているため、ゴミがレール６内へ侵入するのを阻止できる。
【００１３】
地震で外壁用目地プレート１３、１３がレール６に沿って移動すると、外壁用目地プレート１３、１３の端部に設けられている山形形状の突起１７、１７が一対の開閉扉本体２３、２３の端部の凹部２２、２２に入り込んでいるため、一対の開閉扉本体２３、２３を押し開きながら移動できる。
【００１４】
この移動時には一対の開閉扉本体２３、２３を付勢している複数個のスプリング２４、２４を用いた付勢機構２５、２５で外壁用目地プレート１３、１３が付勢された状態となるので、外壁用目地プレート１３、１３の移動方向とは直角方向の揺れ止めを図ることができる。    
【００１５】
[発明を実施するための異なる形態]
次に、図８ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１６】
図８ないし図１０に示す本発明を実施するための第２の形態において、前記本発明を実施するための第１の形態と主に異なる点は、一対の外側ケース２１、２１にそれぞれ少なくとも２対以上の開閉扉本体２３、２３と当接する、先端部が拡開するハ字状に配置されたアーム２７、２７、２７、２７と、このアーム２７、２７、２７、２７の後端部を一対の外側ケース２１、２１に回転可能に枢支する枢支ピン２８、２８、２８、２８と、前記２対以上のアーム２７、２７、２７、２７の先端部寄りの部位に両端部が取付けられた、該アーム２７、２７、２７、２７の先端部を近づけるように付勢して、一対の開閉扉本体２３、２３を外方へ突出させるスプリング２９、２９、２９、２９を用いた付勢機構２５Ａ、２５Ａを用いた一対の開閉扉１６Ａ、１６Ａを用いた点で、このような一対の開閉扉１６Ａ、１６Ａを用いて構成した目地装置１Ａにしても、前記本発明を実施するための第１の形態と同様な作用効果が得られる。
【００１７】
図１１ないし図１３に示す本発明を実施するための第３の形態において、前記本発明を実施するための第１の形態と主に異なる点は、門の開口部となる部位の地面にチャンネル状あるいはハット形鋼形状のレール６Ａを設け、このレール６Ａに沿ってスライド移動する門扉としての目地プレート３０を設け、該目地プレート３０が通常時に位置していない部位に開閉扉１６を設けた点で、このように構成した門扉用の目地装置１Ｂにしても、前記本発明を実施するための第１の形態と同様な作用効果が得られる。
【００１８】
図１４ないし図１６に示す本発明を実施するための第４の形態において、前記本発明を実施するための第１の形態と主に異なる点は、両側に壁面３１、３１を有する開口部３２を開閉する開閉扉としての目地プレート３３、３３を上下部に配置した上下レール６、６で左右方向に移動でき、目地プレート３３、３３が常時位置していない両側の上下レール６、６部に開閉扉１６、１６、１６、１６を配置した点で、このように上下レール６、６部に開閉扉１６、１６、１６、１６を配置した目地装置１Ｃにしても、前記本発明を実施するための第１の形態と同様な作用効果が得られるとともに、上下レール６、６の開閉扉１６、１６、１６、１６の一対の開閉扉本体２３、２３、２３、２３を常時閉鎖方向に付勢する付勢機構１５、１５、１５、１５の付勢力で目地プレート３３、３３を常時閉鎖方向に付勢することができる。
【産業上の利用可能性】
【００１９】
本発明はハット形鋼あるいはチャンネル状のレールを用いる目地装置を製造する産業で利用される。
【符号の説明】
【００２０】
１、１Ａ、１Ｂ、１Ｃ：目地装置、
２：一方の建物、      ３：外側通路、
４：外壁面、          ５：開口部、  
６、６Ａ：レール、      ７：ローラ、
８：スライドレール、    ９：目地部、
１０：他方の建物、      １１：渡り通路、
１２：床目地プレート、    １３：外壁用目地プレート、
１４：渡り通路側目地プレート、
１６、１６Ａ：開閉扉、    １７：突起、
１８：隙間、        １９：開口部、
２０：閉塞板、      ２１：外側ケース、
２２：凹部、        ２３：開閉扉本体、
２４：スプリング、      ２５、２５Ａ：付勢機構、
２６：ストッパー紐、    ２７：アーム、
２８：枢支ピン、      ２９：スプリング、
３０：目地プレート、    ３１：壁面、
３２：開口部、      ３３：目地プレート。
【図１】
0005535157.tif 000002
【図２】
0005535157.tif 000003
【図３】
0005535157.tif 000004
【図４】
0005535157.tif 000005
【図５】
0005535157.tif 000006
【図６】
0005535157.tif 000007
【図７】
0005535157.tif 000008
【図８】
0005535157.tif 000009
【図９】
0005535157.tif 000010
【図１０】
0005535157.tif 000011
【図１１】
0005535157.tif 000012
【図１２】
0005535157.tif 000013
【図１３】
0005535157.tif 000014
【図１４】
0005535157.tif 000015
【図１５】
0005535157.tif 000016
【図１６】
0005535157.tif 000017